(57)【要約】【課題】安定的に取り付けることができ、かつ、着用者の身体を徒に刺激するおそれのないテープファスナを備えた使い捨て着用物品の提供。【解決手段】  テープファスナ１２は、一方のウエスト域１７の非肌対向面に固定された固定部５２と、止着域５７を有する自由部５３とを有し、一方のウエスト域１７は、非肌対向面側に位置する非弾性のウエスト外層２８と、肌対向面側に位置する弾性のウエスト内層２６とを有し、吸液構造体１５は、ウエスト外層２８とウエスト内層２６との間に介在されている。テープファスナ１２の内端は吸液構造体１５の存在する領域に位置し、テープファスナ１２の内端は吸液構造体１５の外端縁よりもウエスト開口２４側に位置する。【選択図】図１
2014233501.tif 000002
【特許請求の範囲】
【請求項１】
縦方向及びそれに直交する横方向と、肌対向面及び非肌対向面を有し、前ウエスト域と、後ウエスト域と、前記前後ウエスト域間に位置するクロッチ域と、少なくとも前記クロッチ域に配置された吸液構造体と、ウエスト開口と、前記前後ウエスト域のうちの一方のウエスト域に配置されたテープファスナとを含む使い捨て着用物品において、
前記テープファスナは、前記ウエスト開口側に位置する外端と、前記クロッチ域側に位置する内端と、前記一方のウエスト域の非肌対向面に固定された固定部と、止着域を有する自由部とを有し、
前記一方のウエスト域は、前記非肌対向面側に位置する非弾性のウエスト外層と、前記肌対向面側に位置する弾性のウエスト内層とを有し、
前記吸液構造体は、前記縦方向において互いに対向する両端縁と、前記ウエスト外層と前記ウエスト内層との間に介在されており、
前記テープファスナの前記内端は、前記吸液構造体の存在する領域における前記非肌対向面側に位置し、前記テープファスナの外端は、前記吸液構造体の前記端縁よりも前記ウエスト開口側に位置することを特徴とする前記着用物品。
【請求項２】
前記固定部は、前記テープファスナの長さ方向において対向する内外端を有し、前記固定部の前記内端は前記吸液構造体の存在する領域に位置し、前記固定部の前記外端は前記吸液構造体の前記端縁よりも前記ウエスト開口側に位置する請求項１に記載の着用物品。
【請求項３】
前記吸液構造体の両側縁部の内側に前記ウエスト外層の一部が折り曲げられ、前記ウエスト外層の一部を基端として前記吸液構造体が着用者の身体から離間する請求項１又は２に記載の着用物品。
【請求項４】
前記ウエスト外層の内側には前記ウエスト内外層とは別体のシートが配置されており、前記吸液構造体は、透液性の身体側ライナと、不透液性の防漏シートと、それらの間に介在された吸収性コアと、前記吸収性コアの外端縁から外方に延びるエンドフラップとを有し、前記テープファスナの前記固定部の前記外端が、前記エンドフラップよりも前記ウエスト開口側へ延びる前記別体のシート上に位置する請求項１〜３のいずれかに記載の着用物品。
【請求項５】
前記一方のウエスト域の非肌対向面側には、前記ウエスト内層の収縮によって形成された複数の皺が形成される請求項１〜４のいずれかに記載の着用物品。
【請求項６】
前記ウエスト外層のうちの少なくとも非肌対向面側には、捲縮性繊維が配されている請求項１〜５のいずれかに記載の着用物品。
【請求項７】
前記ウエスト内層が収縮して前記横方向の長さ寸法が小さくなることによって、前記ウエスト外層の前記横方向の寸法が小さくなり、前記ウエスト外層の縮められた寸法分が比較的に剛性の高い吸液構造体の両側縁部の内側に巻き込まれるように折れ曲がり、前記吸液構造体に対して力が加えられたときに、前記ウエスト外層の前記折曲部位を基端として前記吸液構造体が着用者の身体から離間する方向へ移動する請求項１〜６のいずれかに記載の着用物品。
【発明の詳細な説明】
【技術分野】
【０００１】
本発明は、使い捨て着用物品に関し、より詳しくは、廃棄用のテープファスナを備えた使い捨ておむつ、使い捨てトイレット・トレーニングパンツ、使い捨て失禁パンツ、使い捨ての生理用パンツ等の使い捨て着用物品に関する。
【背景技術】
【０００２】
従来、廃棄用のテープファスナを備える使い捨て着用物品は公知である。例えば、特許文献１には、後ウエスト域のウエスト開口近傍に固定された固定部と、先端に止着域が配された自由部とを有する廃棄用のテープファスナを備えた使い捨て着用物品が開示されている。
【先行技術文献】
【特許文献】
【０００３】
【特許文献１】特開２０１２−２２８４２３号公報
【発明の概要】
【発明が解決しようとする課題】
【０００４】
特許文献１に開示の使い捨て着用物品によれば、テープファスナの固定部が後ウエスト域のウエスト開口近傍に位置しているので、それがクロッチ域側に位置している場合に比して、着用物品を丸めて廃棄するときに、テープファスナを伸展してウエスト開口側へ向かって引っ張り易く、また、テープファスナの長さ寸法が比較的に小さい場合でも丸めた状態を維持することができので、廃棄時の操作性の向上及び資材コストの抑制となる。
【０００５】
しかし、テープファスナの固定部はシート部材のみから形成された領域に配置されていることから変形し易く、廃棄時にテープファスナを伸展して丸めたおむつを締め付けるときに、固定部が捩れたり変形したりして安定的に丸めた状態を維持したまま廃棄することができない。また、テープファスナの固定部が着用者の身体に密着される後ウエスト域のウエスト開口近傍に位置することによって、比較的に硬質のプラスチック材料から形成されたテープファスナの固定部の先端が身体に間接的に当接し、不快感や刺激を与えるおそれがある。特に、比較的に刺激に弱い肌を有する乳幼児の場合には、かかる刺激等が肌トラブルを引き起こすおそれがある。
【０００６】
そこで、本発明の課題は、操作性に優れ、かつ、着用者の身体を刺激するおそれのないテープファスナを備えた使い捨て着用物品の提供に関する。
【課題を解決するための手段】
【０００７】
前記課題を解決するために、本発明は、縦方向及びそれに直交する横方向と、肌対向面及び非肌対向面とを有し、前ウエスト域と、後ウエスト域と、前記前後ウエスト域間に位置するクロッチ域と、少なくとも前記クロッチ域に配置された吸液構造体と、ウエスト開口と、前記前後ウエスト域のうちの一方のウエスト域に配置されたテープファスナとを含む使い捨て着用物品に関する。
【０００８】
本発明に係る使い捨て着用物品は、前記テープファスナは、前記ウエスト開口側に位置する外端と、前記クロッチ域側に位置する内端と、前記一方のウエスト域の非肌対向面に固定された固定部と、止着域を有する自由部とを有し、前記一方のウエスト域は、前記非肌対向面側に位置する非弾性のウエスト外層と、前記肌対向面側に位置する弾性のウエスト内層とを有し、前記吸液構造体は、前記縦方向において互いに対向する両端縁と、前記ウエスト外層と前記ウエスト内層との間に介在されており、前記テープファスナの前記内端は、前記吸液構造体の存在する領域における前記非肌対向面側に位置し、前記テープファスナの外端は、前記吸液構造体の前記端縁よりも前記ウエスト開口側に位置することを特徴とする。
【発明の効果】
【０００９】
本発明に係る使い捨て着用物品の一つ以上の実施態様によれば、一方のウエスト域の外面に固定されたテープファスナの固定部は吸液構造体上に位置していることによって、テープファスナは安定的に取り付けられ、着用物品を丸めて廃棄するとき等に、固定部が変形等して丸めた形態が崩れたりするおそれはない。また、固定部の端部が吸液構造体の端縁よりもウエスト開口側に延出していることによって、テープファスナは比較的にウエスト開口の近くに位置し、廃棄時にウエスト開口に向かってテープファスナを引っ張り易く、また、テープファスナの長さ寸法を比較的に小さくすることができことから資材コストを抑えることができる。また、吸液構造体の内側に弾性のウエスト内層が位置することから、ウエスト内層の伸長応力によって吸液構造体が着用者の身体に押し付けられることはなく、テープファスナの端部が着用者の身体に比較的に強く当接することはない。
【図面の簡単な説明】
【００１０】
【図１】本発明における使い捨て着用物品の一例として示す、使い捨ておむつの斜視図。
【図２】おむつのサイドシームを剥離して前後方向に伸展した状態をその内面から見た一部破断展開平面図。
【図３】おむつの分解斜視図。
【図４】図２のＩＶ−ＩＶ線に沿う模式的断面図。
【図５】着用者に着用されたおむつを背面から視た斜視図。
【図６】図５のＶＩ−ＶＩ線に沿う模式的断面図。
【図７】（ａ）図５のＶＩＩ−ＶＩＩ線に沿う模式的断面図。（ｂ）着用者の身体の動きに合わせて吸液構造体が揺動する様子を示す、図４（ａ）と同様の模式的断面図。
【図８】テープファスナを使用しておむつを丸めて廃棄するときの形態を示す斜視図。
【発明を実施するための形態】
【００１１】
図１〜３を参照すると、本発明の第１実施形態に係る使い捨て着用物品の一例である使い捨ておむつ１０は、縦方向Ｙ及び横方向Ｘと、その横方向Ｘの寸法を二等分する縦軸Ｙ及びその縦方向Ｙの寸法を二等分する横軸Ｘとを有し、肌対向面及びそれに対向する非対向面とを有するおむつ本体１１と、おむつ本体１１の非肌対向面に配置された廃棄用のテープファスナ１２とを含む。おむつ本体１１は、縦軸Ｙに関して対称に形成されており、ウエスト回り方向へ延びる環状の弾性ウエストパネル１３と、クロッチパネル１４と、弾性ウエストパネル１３の肌対向面側に取り付けられた吸液構造体１５と、前ウエスト域１６と、後ウエスト域１７と、前ウエスト域１６および後ウエスト域１７の間に位置するクロッチ域１８とを含む。テープファスナ１２は、後ウエスト域１７の外面において縦軸Ｐと重なって配置される。本実施形態において、テープファスナ１２は、後ウエスト域１７の中央部において、縦軸Ｐに沿って配置されているが、後記の本願発明の効果を奏する限りにおいて、縦軸Ｐに対して斜めに配置されていてもよいし、中央部ではなく、後ウエスト域の両側部に配置されていてもよい。また、後ウエスト域１７ではなく前ウエスト域１６に配置されていてもよいし、単数ではなく、複数配置されていてもよい。
【００１２】
＜弾性ウエストパネル＞
図２を参照すると、弾性ウエストパネル１３は、吸液構造体を着用者の股下間に固定するための弾性ベルト機能を有し、前ウエスト域１６に位置する前ウエストパネル２０と、後ウエスト域１７に位置する後ウエストパネル２１とから構成される。前ウエストパネル２０は、吸液構造体１５の前端部１５ａと交差し、横方向Ｘへ延びる内端縁２０ａと、縦方向Ｙにおいて内端縁２０ａと離間対向して横方向Ｘへ延びる外端縁２０ｂと、外端縁２０ｂから下方へ延びる両側縁２０ｃ，２０ｄとによって画定された横長方形状を有する。後ウエストパネル２１は、吸液構造体１５の後端部１５ｂと交差し、横方向Ｘへ延びる内端縁２１ａと、縦方向Ｙにおいて内端縁２１ａと離間対向して横方向Ｘへ延びる外端縁２１ｂと、外端縁２１ｂから下方へ延びる両側縁２１ｃ，２１ｄとによって略横長方形状に形成される。前ウエストパネル２０の両側縁部のそれぞれと後ウエストパネル２１の両側縁部とは、互いに重ね合わされて、縦方向Ｙへ断続的に延びるサイドシーム２２によって連結されることによってウエスト開口２３及び一対のレッグ開口２４が画定される。サイドシーム２２は、熱又は超音波によるエンボス加工によって互いに重なり合うシートが融着される。
【００１３】
前後ウエストパネル２０，２１は、それぞれ、肌対向面側に位置するウエスト内層２５，２６と、非肌対向面側に位置するウエスト外層２７，２８とを有する。ウエスト外層２７，２８はウエスト内層２５，２６よりも縦方向Ｙの寸法が大きく、ウエスト内層２５，２６の内外端縁からさらに縦方向Ｙの外側に延出している。
【００１４】
＜ウエスト外層＞
ウエスト外層２７，２８には、質量約１５〜３０ｇ／ｍ２のＳＭＳ（スパンボンド・メルトブローン・スパンボンド）繊維不織布、スパンボンド不織布、エアスルー不織布、プラスチックシート、または、前記いずれかの繊維不織布とプラスチックシートとのラミネートシートなどを用いることができる。ウエスト内層２５，２６とウエスト外層２７，２８とは、少なくとも一方の内面に塗布されたホットメルト接着剤または公知の熱溶着手段によって接合される。
【００１５】
＜ウエスト内層＞
ウエスト内層２５，２６には、弾性繊維不織布等の伸縮性を有するシートを用いることができ、例えば、スパンボンド繊維不織布、メルトブローン繊維不織布、ヒートロール繊維不織布、ＳＭＳ繊維不織布、エアレイド繊維不織布及びエアスルー繊維不織布など公知の弾性を有する繊維不織布を単独又はそれらを組み合わせたものから形成することができる。弾性不織布は、例えば、ポリエチレン系、ポリウレタン系等からなるエラストマー樹脂、ポリエチレン、ポリプロピレン、ポリエステル、アクリル等からなる熱可塑性樹脂などから形成することができる。ウエスト内層２５，２６としては、弾性繊維不織布のほかに、非弾性繊維不織布にストリング状又はストランド状の弾性部材を配置して弾性を付与した伸縮性シートを用いることもできる。ただし、ウエスト内層２５，２６として弾性繊維不織布を使用した場合には、着用者の身体に柔軟に接触して肌当たりが向上し、後記のとおり、テープファスナ１２の固定部５２の外端５２ｂが身体に押し付けられたときに、肌に対する刺激を低減することができる。
【００１６】
＜グラフィック表示シート＞
図２及び３を参照すると、ウエスト内層２５，２６とウエスト外層２７，２８との間には、前後ウエスト域１６，１７の横方向Ｘの中央部において、非肌対向面に外部から視認可能なグラフィック（図示せず）などが印刷されている、プラスチックフィルム、各種公知の繊維不織布又はテッシュシート等から形成されたグラフィック表示シート（イラストシート）２９，３０が配置されている。
【００１７】
＜各ウエスト弾性体＞
前後ウエストパネル２０，２１において、ウエスト内層２５，２６の外端縁からさらに縦方向Ｙの外方へ延出するウエスト外層の外側延出部位２７ａ，２８ａは内方へ向かって折り返されており、該折り返された部分とウエスト内層２５，２６との間には、複数条のストランド状又はストリング状の第１ウエスト外端弾性体３１がホットメルト接着剤を介して伸長下に収縮可能に固定されている。また、ウエスト内層２５，２６の内端縁からさらにクロッチ域１８側へ延出するウエスト外層２７，２８の内側延出部位２７ｂ，２８ｂには、繊維不織布から形成された細長状の補強層３３が配置されており、補強層３３と該内側延出部位２７ｂ，２８ｂとの間において、ストランド状又はストリング状の第２ウエスト弾性体３２がホットメルト接着剤を介して伸長下に収縮可能に固定されている。各ウエスト弾性体３１，３２には、例えば、繊度３００〜８００ｄｔｅｘ、伸長倍率２．０〜３．５倍のストリング状又はストランド状の弾性材料を用いることができる。
【００１８】
前後ウエスト域１６，１７において第２ウエスト弾性体３２は、それぞれ、横方向Ｘにおいて離間対向して配置されており、それらが配置された一対の弾性域間には、各ウエスト弾性体が配置されてない非弾性域３４，３５が画定される。非弾性域（非弾性域３５も同じ）３４の形成する方法としては、例えば、内端縁２０ａに沿って横方向Ｘへ一連に延びる第２ウエスト弾性体３２を配設し、非弾性域３４に相当する中央部位を除いてホットメルト接着剤で固定し、該中央部位に位置する第２ウエスト弾性体３２を切断すると、第２ウエスト弾性体３２は自動的に収縮（スナップバック）して、該中央部位には収縮力を有する第２ウエスト弾性体３２が実質的に存在せず、非弾性域３４が形成される。
【００１９】
前ウエスト域１６においては、第２ウエスト弾性体３２は吸液構造体１５の両側部と交差しており、第２ウエスト弾性体３２の収縮力によって吸液構造体１５が着用者の身体にフィットするので、着用者の大腿部の動きによっても体液の漏れを誘発するような隙間が身体と吸液構造体１５との間に形成されるおそれはない。一方、後ウエスト域１７においては、第２ウエスト弾性体３２が吸液構造体１５と交差しておらず、その収縮力が吸液構造体１５に作用して吸収された体液の漏れの原因となるようなギャザーを生じさせるおそれはない。
【００２０】
＜クロッチパネル＞
図２及び３を参照すると、クロッチパネル１４は、横方向Ｘの中央部に位置するベースシート３４と、ベースシート３４の両側部の肌対向面に固定された一対のレッグ弾性化シート３５とを有する。ベースシート３４は、肌対向面側に位置するクロッチ内層３６と、非肌対向面側に位置するクロッチ外層３７とから構成される。クロッチ内外層３６，３７には、各種公知の繊維不織布またはプラスチックフィルムを用いることができる。クロッチ内層３６は、吸液構造体１５と対向して位置するので、防漏性のプラスチックフィルムから形成することが好ましく、クロッチ外層３７は、おむつ１０の外面の一部を構成するので、プラスチックフィルムに比して肌触りの良い繊維不織布から形成することが好ましい。
【００２１】
クロッチパネル１４は、前後端部１４ａ，１４ｂと、前後端部１４ａ，１４ｂ間に位置する中間部１４ｃとを有する。前後端部１４ａ，１４ｂは、その非肌対向面側に位置する、ホットメルト接着剤を塗布してなる接合域を介して前後弾性ウエストパネル２０，２１の内端縁２０ａ，２１ａ近傍の肌対向面に固定される。
【００２２】
＜レッグ弾性化シート＞
レッグ弾性化シート３５は、ベースシート３４の両側縁部に２つ折りに状態で固定されたサイドシート３８と、サイドシート３８に伸長下に伸縮可能に固定された縦方向Ｙへ延びるレッグ弾性体３９とから構成される。レッグ弾性化シート３５は、ホットメルト接着剤を塗布した接合部４０を介してベースシート３４に固定される。
【００２３】
＜吸液構造体＞
図２及び３を参照すると、吸液構造体１５は、縦長のパッド形状を有し、前後端部１５ａ，１５ｂと、中間部１５ｃと、少なくともクロッチ域１８において縦方向Ｙへ延びる吸収性コア４２と、吸収性コア４２の肌対向面側に位置する身体側ライナ４３と吸収性コア４２の非肌対向面側に位置する防漏シート４４とを含む。吸液構造体１５には、その非肌対向面のほぼ全体にホットメルト接着剤が公知のパターンで塗布されている。前後端部１５ａ，１５ｂは、それぞれ、該ホットメルト接着剤を介して前後ウエストパネル２０，２１に固定されており、中間部１５ｃは該ホットメルト接着剤を介してクロッチパネル１４の対向面に固定される。
【００２４】
図３に示すとおり、吸液構造体１５の前端部１５ａは、前ウエストパネル２０のウエスト内層２５の肌対向面に固定されており、後端部１５ｂは、後ウエストパネル２１のウエスト内層２６とウエスト外層２８との間においてウエスト外層２８に固定される。吸液構造体１５の前端部１５ａがウエスト内層２５の肌対向面に固定されることによって、着用者の肌には、伸縮弾性を有する比較的に柔軟なウエスト内層２５が直接触れるので、肌触りが向上する。また、後端部１５ｂがウエスト内層２６とウエスト外層２８との間に固定されることから、排泄された体液が拡散してクロッチ域１８から後ウエスト域１７に位置する吸液構造体１５まで浸透しても、体液が直接着用者の肌に触れるのを防止することができる。
【００２５】
吸収性コア４２は、フラッフパルプと、超吸収性ポリマー粒子（ＳＡＰ）との混合から形成された芯材と、液透過性の繊維不織布とから構成される。身体側ライナ４３には、質量約１０〜３０ｇ／ｍ２の透液性のスパンボンド不織布やＳＭＳ不織布等の各種公知の繊維不織布を用いることができる。防漏シート４４には、質量約１０〜３０ｇ／ｍ２の不透液性のスパンボンド不織布、ＳＭＳ不織布、プラスチックシートまたは繊維不織布とプラスチックシートとのラミネートシート等を用いることができる。身体側ライナ４３と防漏シート４４とは、吸収性コア４２の周縁から外方へ延出して互いに固定されており、サイドフラップとエンドフラップ４６が形成される。
【００２６】
＜テープファスナ＞
図４を参照すると、テープファスナ１２は、縦軸Ｐに沿って縦方向Ｙへ延びており、その長さ方向において対向する固定端１２ａ及び自由端１２ｂとを有する断面Ｚ字型に折り畳まれた一枚のテープである基材シート５０を含む。基材シート５０には、表面が平滑性を有する、比較的剛性の高いクラフト紙やプラスチックフィルム、それらのラミネートや比較的に質量の高い繊維不織布、例えば、質量約５０ｇ／ｍ２以上の繊維不織布を好適に使用することができる。テープファスナ１２は、さらに、接合域５１を介して後ウエスト域１６の外面に固定された固定部５２と、固定部５２から連続的に延びる自由部５３とを有する。固定部５２は、縦方向Ｙ内側に位置する内端（固定端）１２ａと、テープファスナ１２の長さ方向において内端１２ｂと対向して位置する外端５２ｂとを有する。テープファスナ１２を形成する基材シート５０として、１本ではなく複数のテープを連結したものを用いることもできる。
【００２７】
テープファスナ１２の自由部５３は、固定部５２と連なりそれとテープファスナ１２の厚さ方向Ｚにおいて対向する第１自由部５４と、第１自由部５４と連なりそれと厚さ方向Ｚにおいて対向する第２自由部５５とを有する。固定部５２と第１自由部５４とは、互いの対向面のうちのいずれか一方に塗布された感圧性接着剤からなる第１止着域５６によって止着されており、第１自由部５４と第２自由部５５とは、互いの対向面のうちのいずれか一方に塗布された感圧性接着剤からなる第２止着域（掛け止め域）５７によって止着されており、第１及び第２止着域５６，５７の止着によって積層された状態が維持されている。第２自由部５４において、第２止着域５７は自由端１２ｂまで延びておらず、第２止着域５４から自由端１２ｂ側の領域において摘持部５９が形成される。摘持部５９の視認性を向上させるために、基材シート５０の摘持部５９に相当する部分に直接着色したり又は該部分に有色の別体のシートを貼付してもよい。第１及び第２止着域には、繰り返し止着可能な感圧性接着剤や粘着剤のほかに、面ファスナのフック部材を配置してもよい。また、テープファスナ１２の表面が繊維不織布から形成される場合には、積層された各領域をエンボスピン等によって仮止めしてもよい。
【００２８】
図５を参照すると、テープファスナ１２の固定部５２は、内端５２ａが吸液構造体１５の存在する領域に位置し、外端５２ｂが吸液構造体１５よりも縦方向Ｙの外側に位置する後ウエストパネル２１上に位置している。テープファスナ１２は、廃棄時において、おむつ１０を丸めてウエスト開口２３に向かって伸展して使用するものであるから、操作性及びその長さ寸法を有効活用することを考慮すれば、固定部５２は、後ウエスト域１７のうちのウエスト開口２３寄りに位置していることが好ましい。本実施形態の場合には、固定部５２の外端５２ｂが吸液構造体１５の外端縁よりも縦方向Ｙの外側に位置し、ウエスト開口２３寄りに位置しているので、固定部５２全体が吸液構造体１５と重なってクロッチ域１８側に位置する場合に比して、廃棄時の操作性に優れる。また、比較的に剛性の高い吸液構造体１５の近傍に位置する固定部５２の外端５２ｂにはテープファスナ１２を丸めたおむつに掛け回したときに力が集中しやすくそれを剥離しようとする力が加えられるところ、テープファスナ１２をその力を分散できる程度に比較的に低い剛性のシートで形成し、かつ、ウエスト内層２６による伸縮性を利用することによって、かかる力を分散できる。したがって、ウエスト内層２６の伸長力を利用して十分にテープファスナ１２を引っ張った状態のまま締め付けることができ、止着したテープファスナ１２が不容易に外れてしまうおそれはない。一方、テープファスナ１２が比較的に高剛性の吸液構造体１５上に位置することによって、固定部５２は安定的に後ウエスト域１７の外面に取り付けられ、おむつ１０を丸めて廃棄するときに、固定部５２が変形して丸めた状態が崩れたりするおそれはない。
【００２９】
図６を参照すると、このように、テープファスナ１２を吸液構造体１５上に配置した場合には、テープファスナ１２が湾曲状を呈し、固定部５２の外端５２ｂ近傍が着用者の身体へ向かって延びる。テープファスナ１２は、おむつ１０を構成する繊維不織布シートから形成された他のシート部材に比して比較的に高剛性のシート部材から形成されており、その一部が後ウエストパネル２１を構成するシート部材を介して間接的に着用者の肌に触れる場合であっても、痛みや不快感等の刺激を与えかねない。特に、着用者が比較的に肌の弱い乳幼児の場合には、その刺激によって肌トラブルを生じ易い。したがって、例えば、吸液構造体１５がその外側に位置するウエスト弾性体等の伸長応力によって着用者の身体側へ押しつけられた場合には、固定部５２の外端５２ｂが着用者の腰部の肌に間接的に触れて肌を刺激するおそれがある。本実施形態におけるおむつ１０の場合には、ウエスト内層２６が吸液構造体１５の内側に位置していることから吸液構造体１５が着用者の身体側に向かって押し付けられることはなく、かかる事態が生じるおそれはない。
【００３０】
図７（ａ）を参照すると、おむつ１０の着用状態において、後ウエスト域１７の伸縮性を有するウエスト内層２６は、吸液構造体１５の内側に位置していることによって、着用者の身体に密接している。ウエスト内層２６が伸縮性のシートから形成される一方、ウエスト外層２８は非伸縮性のシートから形成されていることから、ウエスト内層２６が収縮してその横方向Ｘの長さ寸法が小さくなることによって、それに固定されたウエスト外層２８の横方向Ｘの寸法も小さくなる。ウエスト外層２８の横方向Ｘが小さくなりその縮められた寸法分が比較的に剛性の高い吸液構造体１５の両側縁部１５ｄに集中して、その内側に巻き込まれるように折れ曲がる。
【００３１】
図７（ｂ）を参照すると、吸液構造体１５は、着用者の身体の動きに応じてウエスト回り方向へ伸長及び／又は収縮を繰り返すウエスト内層２６の動きに合わせて、その側縁部１５ｄの内側に入り込んだウエスト外層２８の一部を基端部４５として、仮想線で示す着用者の身体から離間したような状態となって横方向Ｘへ揺動する。また、おむつ１０を穿いたまま下着等の着衣を着用した場合において、吸液構造体１５が着用者の身体に向かって押し付けられたときに、基端部４５ａ，４５ｂが吸液構造体１５に加えられた力を緩衝する。
【００３２】
従って、着用者の背中の動き等によってテープファスナ１２の固定部５２の外端５２ｂに対してそれを着用者の身体に食い込むように作用する力Ｆが加えられた場合において、吸液構造体１５の側縁部１５ｄの内側に巻きこまれた基端部４５が起立して吸液構造体１５が浮き上がった状態で斜め下方へ僅かに移動し、外端５２ｂに加えられた力Ｆを緩衝する。それによって、外端５２ｂが着用者の身体に向かって食い込むように押し付けられることを抑制し、着用者に不快感等を与えることを回避できる。また、このように吸液構造体１５が横方向Ｘへ揺動することによって外端５２ｂの身体に間接的に当接される位置が固定されず、比較的に長時間同じ箇所に外端５２ｂが身体に当接されることによって生じる肌への刺激や不快感を防ぐことができる。
【００３３】
かかる効果を高めるために、ウエスト内層２６は、吸液構造体１５に固定されておらず、ウエスト外層２８にのみ固定されていてもよい。かかる場合には、吸液構造体１５がより着用者の身体の動きに追従して揺動し、外端５２ｂが着用者の身体の同じ箇所に当接するのを防止できるからである。また、ウエスト外層２８のテープファスナ１２の固定部５２の外端５２ｂが位置する領域には、ウエスト内層２６の収縮作用によって複数の皺が形成されているので、該領域のクッション性が向上し、外端５２ｂによる着用者の肌に対する刺激が低減される。また、ウエスト外層２８として、例えば、少なくともその外面が捲縮繊維を含む繊維不織布から形成される場合には、外面がより嵩高になってクッション性に優れるので、テープファスナ１２が身体に当接することによる肌に対する刺激を抑えることができる。捲縮繊維としては、２次元的に捲縮する波状、３次元的に捲縮するコイル又はスパイラル状等の各種の捲縮形態を有するものを用いることができ、特に、ポリプロピレンを鞘、エチレン・プロピレンのコポリマーを芯とする偏芯鞘型に係る熱収縮捲縮法によって得られる複合繊維を用いることが、所望の捲縮数、捲縮率、捲縮伸長率、捲縮復元率などのうえで好ましい。さらに、クッション性及び嵩高性を高めるために、捲縮繊維を含むウエスト外層２８の外面にキルト模様等を施してもよい。
【００３４】
テープファスナ１２の固定部５２は、内端５２ａから外端５２ｂに向かって吸収性コア４２の存在域からエンドフラップ４６を通過してグラフィック表示シート３０上にまで延びていて、積層されたシート部材の枚数が次第に減少することによって、縦方向Ｙの内側から外側へ向かって次第になだらかに傾斜している。これによって、テープファスナ１２の固定部５２に大きな段差が設けられることはなく、急な傾斜によって外端５２ｂが身体に向かって食い込むように斜めに延びることはない。既述の本願発明の効果を奏する限りにおいて、テープファスナ１２は、その内端が吸液構造体１５の存在域に位置し、外端が吸液構造体１５の外端縁よりもウエスト開口側に位置していればよく、例えば、固定部５２の固定端（内端）１２ａが吸液構造体１５の存在域に位置し、後ウエスト域１７の外面に剥離可能に固定された自由端（外端）１２ｂが吸液構造体１５の端縁よりもウエスト開口２３側に位置する態様等を含む。
【００３５】
図８を参照すると、おむつ１０を廃棄する態様の一例が示されており、まず、おむつ１０の使用後に、サイドシーム２２を剥離して前後ウエスト域１６，１７の両側縁部を離間させ、該両側縁部を内側へ折り曲げ、クロッチ域１８を前後ウエスト域１６，１７に向かって丸め込むように折り曲げる。次に、テープファスナ１２の自由部５３を掛け止め域５７を介してクロッチ域１８の外面に掛け止める。これにより、おむつ１０を丸めた状態を保持することができ、排泄物を外部に漏らすことなく、衛生的に廃棄することができる。しかし、例えば、テープファスナ１２の固定部５２全体が吸液構造体１５上に位置する場合には、吸液構造体１５全体を巻き込んでテープファスナ１２で締め付けることができず、固定部５２よりもウエスト開口２３側に位置する吸液構造体１５に吸収された体液がウエスト開口２３から外部に漏れ出るおそれがある。本実施形態にかかるおむつ１０においては、テープファスナ１２の固定部５２の外端５２ｂが吸液構造体１５よりもウエスト開口２４側に位置しているので、テープファスナ１２を伸展して吸液構造体１５全体を巻き込んだ状態で丸めたおむつ１０を締め付けることができ、吸液構造体１５の端部に吸収された体液が外部に漏れるのを妨げることができる。
【００３６】
本発明に係る使い捨て着用物品の一例として、プルオンタイプの使い捨ておむつを示したが、テープファスナ１２を備える限りにおいて、オープンタイプの使い捨ておむつであってもよい。使い捨てプルオンおむつ１０を構成する各構成部材には、特に明記されていない限りにおいて、本明細書に記載されている材料のほかに、この種の分野において通常用いられている、各種公知の材料を制限なく用いることができる。また、本明細書及び特許請求の範囲において使用されている「第１」及び「第２」の用語は、同様の要素、位置等を単に区別するために用いている。
【００３７】
以上に記載した本発明に関する開示は、少なくとも下記事項に整理することができる。
縦方向及びそれに直交する横方向と、肌対向面及び非肌対向面を有し、前ウエスト域と、後ウエスト域と、前記前後ウエスト域間に位置するクロッチ域と、少なくとも前記クロッチ域に配置された吸液構造体と、ウエスト開口と、前記前後ウエスト域のうちの一方のウエスト域に配置されたテープファスナとを含む使い捨て着用物品において、
前記テープファスナは、前記ウエスト開口側に位置する外端と、前記クロッチ域側に位置する内端と、前記一方のウエスト域の非肌対向面に固定された固定部と、止着域を有する自由部とを有し、
前記一方のウエスト域は、前記非肌対向面側に位置する非弾性のウエスト外層と、前記肌対向面側に位置する弾性のウエスト内層とを有し、
前記吸液構造体は、前記縦方向において互いに対向する両端縁と、前記ウエスト外層と前記ウエスト内層との間に介在されており、
前記テープファスナの前記内端は、前記吸液構造体の存在する領域における前記非肌対向面側に位置し、前記テープファスナの外端は、前記吸液構造体の前記端縁よりも前記ウエスト開口側に位置することを特徴とする前記着用物品。
【００３８】
上記段落００３７に開示した本発明に係る使い捨て着用物品は、少なくとも下記の実施の形態において、互いに分離又は組み合わせて採択することができる。
（１）前記固定部は、前記テープファスナの長さ方向において対向する内外端を有し、前記固定部の前記内端は前記吸液構造体の存在する領域に位置し、前記固定部の前記外端は前記吸液構造体の前記端縁よりも前記ウエスト開口側に位置する。
（２）前記吸液構造体の両側縁部の内側に前記ウエスト外層の一部が折り曲げられ、前記ウエスト外層の一部を基端として前記吸液構造体が着用者の身体から離間する。
（３）前記ウエスト外層の内側には前記ウエスト内外層とは別体のシートが配置されており、吸液構造体は、透液性の身体側ライナと、不透液性の防漏シートと、それらの間に介在された吸収性コアと、前記吸収性コアの外端縁から外方に延びるエンドフラップとを有し、前記テープファスナの前記固定部の前記外端が、前記エンドフラップよりも前記ウエスト開口側へ延びる前記別体のシート上に位置する。
（４）前記一方のウエスト域の非肌対向面側には、前記ウエスト内層の収縮によって形成された複数の皺が形成される。
（５）前記ウエスト外層のうちの少なくとも非肌対向面側には、捲縮性繊維が配されている。
（６）前記ウエスト内層が収縮して前記横方向の長さ寸法が小さくなることによって、前記ウエスト外層の前記横方向の寸法が小さくなり、前記ウエスト外層の縮められた寸法分が比較的に剛性の高い吸液構造体の両側縁部の内側に巻き込まれるように折れ曲がり、前記吸液構造体に対して力が加えられたときに、前記ウエスト外層の前記折曲部位を基端として前記吸液構造体が着用者の身体から離間する方向へ移動する。
【符号の説明】
【００３９】
１０  使い捨て着用物品（使い捨てプルオンおむつ）
１２  テープファスナ
１２ａ  固定部の内端
１５  吸液構造体
１６  前ウエスト域
１７  後ウエスト域
１８  クロッチ域
２３  ウエスト開口
２５，２６  ウエスト内層
２７，２８  ウエスト外層
２９，３０グラフィック表示シート
３５  レッグ弾性化シート
３９  レッグ弾性体
４２  吸収性コア
４３  身体側ライナ
４４  防漏シート
５２  固定部
５３  自由部
４６  エンドフラップ
Ｘ  横方向
Ｙ  縦方向
【図１】
2014233501.tif 000003
【図２】
2014233501.tif 000004
【図３】
2014233501.tif 000005
【図４】
2014233501.tif 000006
【図５】
2014233501.tif 000007
【図６】
2014233501.tif 000008
【図７】
2014233501.tif 000009
【図８】
2014233501.tif 000010